(57)【要約】  本発明は、１つ又は２つ以上の眼用レンズを保管するための眼用レンズ保管ケース（１０２）を受容するためのベース部（１０１）を提供する。ベース部は、１つ又は２つ以上のレンズを保管可能な眼用レンズ保管ケースを受容するための収容部と、保管ケースに近位の消毒放射線の供給源（１０３）と、拡散材、特に、消毒放射線供給源と眼用レンズ保管ケース内のレンズとの間の、消毒放射線を拡散可能なフルオロポリマーと、を備える。
2015509762.tif 000002
【特許請求の範囲】
【請求項１】
１つ又は２つ以上の眼用レンズを保管するための眼用レンズ保管ケースを受容するためのベース部であって、
１つ又は２つ以上のレンズを保管可能な該眼用レンズ保管ケースを受容するための収容部と、
該保管ケースに近接した、消毒放射線の供給源と、
該消毒放射線供給源と該眼用レンズ保管ケース内の該レンズとの間の拡散材と、を備える、ベース部。
【請求項２】
前記拡散材が、フルオロポリマーを含む、請求項１に記載のベース部。
【請求項３】
前記拡散材が、前記ケースの形状を包み込む形状である、請求項１又は２に記載のベース部。
【請求項４】
眼用レンズ保管区画に向けて消毒放射線を反射するための反射表面を更に備え、該反射表面が、テフロン、アルミニウム、酸化マグネシウム、及び酸化ジルコニウムのうちの１つ又は２つ以上を含む、請求項１〜３のいずれか一項に記載のベース部。
【請求項５】
前記拡散材の少なくとも一部に前記放射線を集束させることができる光学品質材を更に備える、請求項１〜４のいずれか一項に記載のベース部。
【請求項６】
前記消毒放射線供給源が、紫外放射線を放出する１つ又は２つ以上の発光ダイオードを備える、請求項１〜５のいずれか一項に記載のベース部。
【請求項７】
前記消毒放射線供給源が、１つ又は２つ以上の殺菌球を備える、請求項１〜６のいずれか一項に記載のベース部。
【請求項８】
前記１つ又は２つ以上の殺菌球が、前記レンズ保管ケースの１つ又は２つ以上の保管区画を循環する形状を有する、請求項７に記載のベース部。
【請求項９】
前記消毒供給源の前記１つ又は２つ以上に紫外放射線をパルス発生させるための機構を更に含み、該パルス発生機構が、電子回路を備える、請求項１〜８のいずれか一項に記載のベース部。
【請求項１０】
前記パルス発生機構が、前記消毒放射線供給源の前記１つ又は２つ以上に、前記保管区画内に保管されたレンズの表面にわたる放射線のパターンを生成させる、請求項９に記載のベース部。
【請求項１１】
ソフトウェアを実行するプロセッサを更に含み、前記生成される放射線のパターンが、該ソフトウェア内に含まれる命令に基づく、請求項１〜１０のいずれか一項に記載のベース部。
【請求項１２】
前記発光ダイオードが、約５０マイクロワット〜５ワットの電力を放出する、請求項６に記載のベース部。
【請求項１３】
前記消毒放射線供給源が、２５０ナノメートル〜２８０ナノメートルの波長で放射線を放出することができる、請求項７に記載のベース部。
【請求項１４】
前記殺菌球の１つ又は２つ以上によって放出される前記消毒放射線が、前記ベース部に近接した保管区画に対する曝露の十分な強度及び時間の長さを含み、前記保管区画内に保管された眼用レンズ上の微生物を死滅させる、請求項７に記載のベース部。
【請求項１５】
前記消毒放射線が前記拡散材を通過した後に、前記消毒放射線を測定するためのフィードバックループシステムを更に含む、請求項１１に記載のベース部。
【請求項１６】
前記フィードバックループシステムの強度値を検出することができる、前記拡散材に近接して位置決めされた、１つ又は２つ以上のセンサーを更に備える、請求項１５に記載のベース部。
【請求項１７】
前記眼用レンズ保管区画が、消毒放射線を、コンタクトレンズの周辺縁部にわたる平面と本質的に直交する角度で受けるように、該コンタクトレンズを位置合わせするための位置合わせ加工構造を備える、請求項１〜１６のいずれか一項に記載のベース部。
【請求項１８】
前記眼用レンズ保管区画が、紫外放射線を透過する保管ケースを備え、紫外放射線は、該保管ケースの底部及び頂部の一方又は両方にわたる平面と本質的に直交する角度で方向付けられる、請求項１〜１６のいずれか一項に記載のベース部。
【請求項１９】
前記眼用レンズ保管区画が、磁石を更に備え、前記ベース部が、磁気パルスの供給源を更に備え、該磁気パルスが、前記眼用レンズ保管区画を振動させる、請求項１〜１８のいずれか一項に記載のベース部。
【発明の詳細な説明】
【技術分野】
【０００１】
本発明は、１つ又は２つ以上の眼用レンズを保管するための眼用レンズ保管ケースを受容するためのベース部に関する。
【背景技術】
【０００２】
視力を改善する目的でコンタクトレンズを使用できることは、よく知られている。様々なコンタクトレンズが、長年にわたって商業的に製造されてきた。コンタクトレンズの初期の設計のものは、硬質の材料から作製されていた。これらのレンズは、現在も一部の用途では用いられているが、快適性に乏しく、酸素の透過性が比較的低いために、すべての患者に適しているわけではない。この分野における後の開発によって、ハイドロゲルを元としたソフトコンタクトレンズが登場した。
【０００３】
今日、ハイドロゲルコンタクトレンズは、極めて一般的である。これらのレンズは、硬質材料から作製されたコンタクトレンズよりも着用が快適であることが多い。多くのハイドロゲルコンタクトレンズは、２日以上にわたって装用することができる。しかしながら、レンズに微生物及び細菌が蓄積することから、定期的にレンズを外して消毒することが、一般的に望ましい。
【発明の概要】
【発明が解決しようとする課題】
【０００４】
コンタクトレンズの消毒は、従来、容器又はケース内にコンタクトレンズを入れ、コンタクトレンズを化学消毒液に曝すことによって行われている。しかしながら、化学消毒液は、必ずしも所望されるほど効果的ではない。
【０００５】
また、コンタクトレンズの取り扱い中に清潔な環境を維持することは、概して、良好な眼の状態に不可欠であると考えられている。十分に考慮されないことの多い清潔さの１つの観点は、コンタクトレンズケースの清潔な外面である。コンタクトレンズ取り扱い者が入念に手を洗い、レンズ用溶液を適切に使用したとしても、このような行為の有効性は、バクテリア及び菌類など病原体が、コンタクトレンズの保管に用いられるコンタクトレンズケースの外面に存在し得る場合に、限定される。
【０００６】
その結果、往々にして、バクテリア、カビ、菌類、又は他の種類の有害な生命体を有するコンタクトレンズが、ユーザーの眼の中に再挿入され、その結果として疾病眼となる。更に、最も効果的な消毒溶液は、高価であり、視力矯正又は美容増進のためにコンタクトレンズを使用する総費用を増大させる傾向がある。したがって、コンタクトレンズを消毒するための新たな方法及び手法が求められている。
【課題を解決するための手段】
【０００７】
したがって、本発明は、１つ又は２つ以上の眼用レンズを保管するための眼用レンズ保管ケースのためのベース部に関する。ベース部は、１つ又は２つ以上のレンズを保管可能な眼用レンズ保管ケースを受容するための収容部と、保管ケースに近位の消毒放射線の供給源と、消毒放射線供給源と眼用レンズ保管ケース内のレンズとの間の拡散材と、を備える。このレンズ保管ケースは、コンタクトレンズ上の、厄介なバクテリア、ウイルス、カビ、菌類などを死滅させるために好適な波長及び強度で、消毒放射線を受けることが可能である。このベース部は、コンタクトレンズ上の、厄介なバクテリア、ウイルス、カビ、菌類などを死滅させるために好適な、１つ又は２つ以上の波長及び強度、持続時間で、制御された消毒放射線を供給することが可能である。
【０００８】
拡散材は、フルオロポリマーを含み得る。
【０００９】
拡散材は、ケースの形状を包み込む形状であり得る。
【００１０】
ベース部は、眼用レンズ保管区画に向けて消毒放射線を反射するための、反射表面を更に含むことができ、反射表面が、テフロン、アルミニウム、酸化マグネシウム、及び酸化ジルコニウムのうちの１つ又は２つ以上を含む。
【００１１】
ベース部は、拡散材の少なくとも一部に放射線を集束させることができる光学品質材を、更に備え得る。
【００１２】
消毒放射線供給源は、紫外放射線を放出する１つ又は２つ以上の発光ダイオードを備え得る。
【００１３】
消毒放射線供給源は、１つ又は２つ以上の殺菌球を備え得る。
【００１４】
殺菌球は、レンズ保管ケースの１つ又は２つ以上の保管区画を循環する形状を有し得る。
【００１５】
ベース部は、消毒供給源の１つ又は２つ以上に紫外放射線のパルス発生をさせるための機構を更に備え、パルス発生機構が、電子回路を備える。
【００１６】
パルス発生機構は、消毒放射線供給源の１つ又は２つ以上に、保管区画内に保管されたレンズの表面にわたる放射線のパターンを生成させる。
【００１７】
ベース部は、ソフトウェアを実行するプロセッサを更に含み、生成される放射線のパターンは、ソフトウェア内に含まれる命令に基づく。
【００１８】
発光ダイオードは、約５０マイクロワット〜５ワットの電力を放出し得る。
【００１９】
消毒放射線供給源は、２５０ナノメートル〜２８０ナノメートルの波長で、放射線を放出することができる。
【００２０】
殺菌球の一方又は両方によって放出される消毒放射線は、保管区画内に保管された眼用レンズ上の微生物を死滅させるために、ベース部に近位の保管区画に対する十分な強度及び曝露時間の長さを含み得る。
【００２１】
プロセッサは、消毒放射線の生成を制御するために使用してもよい。
【００２２】
消毒放射線供給源によって消毒放射線が供給される時間は、プロセッサによって生成されるロジック制御信号に基づき得る。
【００２３】
消毒放射線が供給される強度は、プロセッサによって生成される論理制御信号に基づき得る。
【００２４】
ベース部は、消毒放射線の供給源の動作に基づいて音響信号を提供するよう稼働する音響構成要素を、更に備え得る。
【００２５】
ベース部は、消毒放射線が拡散材を通過した後に、消毒放射線を測定するためのフィードバックループシステムを、更に含み得る。
【００２６】
ベース部は、フィードバックループシステムの強度値を検出することができる拡散材に近接して位置決めされた１つ又は２つ以上のセンサーを、更に含み得る。
【００２７】
ベース部は、プロセッサによって伝送されるデジタルデータに基づいて、消毒プロセスの状況を表示するためのディスプレイを、更に含み得る。
【００２８】
ベース部は、消毒プロセスに関する情報を記憶するためのデジタル記憶装置を、更に含み得る。
【００２９】
ベース部は、保管ベース部内に定置された保管ケースに機械的運動を供給するための振動発生装置を、更に含み得る。
【００３０】
振動発生装置は、圧電機構を備え得る。
【００３１】
圧電機構は、プロセッサにより生成された論理信号に基づいて稼働し得る。
【００３２】
ベース部は、プロセッサ及びデジタル記憶装置の一方又は両方と個人用処理装置との間に、論理通信を提供するためのユニバーサルシリアルバスコネクタを、更に含み得る。
【００３３】
ベース部は、保管ベース部を動作させるための電流を提供するための、ユニバーサルシリアルバスコネクタを更に含み得る。
【００３４】
ベース部は、保管ベース部を稼働させるための電力を蓄積する蓄電装置を、更に備え得る。
【００３５】
蓄電装置は、１つ又は２つ以上の充電式電池を備え得る。
【００３６】
蓄電装置は、１つ又は２つ以上のリチウムイオン電池を備え得る。
【００３７】
眼用レンズ保管区画は、消毒放射線を、コンタクトレンズの周辺縁部にわたる平面と本質的に直交する角度で受けるように、コンタクトレンズを位置合わせするための、位置合わせ加工構造を含み得る。
【００３８】
眼用レンズ保管区画は、紫外放射線を透過する保管ケースを含んでもよく、紫外放射線が、保管ケースの底部及び頂部の一方又は両方にわたる平面と本質的に直交する角度で、方向付けられる。
【００３９】
眼用レンズ保管区画は、磁石を更に含んでもよく、ベース部は、磁気パルスの供給源を更に含み、磁気パルスが、眼用レンズ保管区画を振動させる。
【００４０】
消毒放射線強度と、波長と、方向と、コントラストと、拡散を制御するために、１つ又は２つ以上の放射線拡散材の種類を含み得る。例えば、拡散材が、フッ素化エチレンプロピレン「ＦＥＰ」などのフルオロポリマーである場合が該当する。
【００４１】
コンタクトレンズに送られる放射線の強度を変化させ、かつ放射線をコンタクトレンズの全領域にわたって均一に分散させるために、特定の形状及び幾何学的形状を使用してもよい。
【００４２】
消毒放射線ベース部は、その消毒放射線ベース部内に載置された保管ケース内に保管される眼用レンズに向けて、消毒放射線を反射するための鏡などの１つ又は２つ以上の反射表面を、含み得る。
【００４３】
消毒ベース部は、特定の微生物に必要な消毒液の量を特に目標として送られるＵＶ線量を、測定かつ制御する機構を、更に備え得る。
【００４４】
このベース部は、死滅した微生物を効果的に移動させ、死滅していない微生物の消滅放射線への曝露を増加させるのに機械的に十分な振動周波数を、提供してもよい。
【図面の簡単な説明】
【００４５】
【図１】ベースユニット内の例示的なレンズ保管ケースを示す図である。
【図２】消毒放射線供給源と、レンズ保管ケース内の眼用レンズとの、位置合わせを示す図である。
【図３】１つのキャップを外した例示的な保管ケースの拡大図である。
【図４】ベースユニットの態様を示す図である。
【図５】ディスプレイを備える閉鎖状態のベースユニットを示す図である。
【図６Ａ】レンズ保管ケース区画を包囲する殺菌球を有するベースユニットの一部分の切り欠き図である。
【図６Ｂ】レンズ保管ケース区画の下に殺菌球を有するベースユニットの一部分の切り欠き図である。
【図７】消毒放射線供給源殺菌球と、レンズ保管ケース内の眼用レンズとの、位置合わせを示す図である。
【図８】消毒放射線供給源殺菌球と、レンズ保管ケースとの、位置合わせを示す図である。
【図９】交換標識を有する保管ケースの拡大図である。
【図１０】保管ケース交換標識の状態についての情報を捕捉するためのセンサーを有するベースユニットの態様を示す図である。
【図１１Ａ】振動運動を付与するための電磁石を有するベースユニットの態様を示す図である。
【図１１Ｂ】振動運動をもたらすための磁石又は金属領域を有する保管ケースの拡大図である。
【図１２】消毒ベース部内の放射線拡散材の例示的な幾何学的形状及び構成の断面図である。
【図１３】ＵＶ拡散材と、反射表面と、を備える蓋を有する消毒ベース部を示す図である。
【発明を実施するための形態】
【００４６】
以下の項において、本発明の１つ又は２つ以上の実施形態を、より詳細に説明する。好ましい実施形態及び代替的実施形態の説明は、いずれも、あくまで例示的な実施形態に過ぎないものであって、当業者にとって、変形、改変、及び変更が明らかとなり得ることは、理解される。したがって、これらの例示的な実施形態が、基礎をなす発明の範囲を限定するものではない点は、理解されるはずである。
【００４７】
用語
本発明を対象としたこの説明及び特許請求の範囲においては、以下の定義が適用される様々な用語を用いることができる。
拡散材：本明細書で使用するとき、消毒放射線への曝露により著しく劣化することなく、材料の組成により、あるいは、コーティングの使用により、消毒放射線を拡散可能な材料を指し、拡散材は、消毒放射線を少なくとも部分的に透過する。例えば、拡散材は、フッ素化エチレンプロピレン（ＦＥＰ）材料又はコーティングなどのフルオロポリマーを含み得る。
【００４８】
消毒放射線：本明細書で使用するとき、消毒放射線量を受ける生命体の、期待寿命を減少させるのに十分な、放射線の周波数及び強度を指す。
【００４９】
消毒放射線量：本明細書で使用するとき、生物の量を、対数目盛上で少なくとも２の対数、好ましくは３の対数以上で低減する、放射線の量を指し、その生物としては、少なくとも、バクテリア、ウイルス、カビ、及び菌類が挙げられる。
【００５０】
レンズ：眼の内部又は眼の上に置かれる任意の眼用装置のことを指す。これらの装置は、光学的補正を与えるものであってもよく、あるいは美容的なものであってもよい。例えば、レンズなる用語は、コンタクトレンズ、眼内レンズ、オーバーレイレンズ、眼球インサート、光学インサート、又はそれによって視力が矯正若しくは改変されるか又はそれによって眼の生理機能が視力を妨げることなく美容的に高められる（例えば虹彩の色）ような他の同様の装置のことを指し得る。レンズは、シリコーンエラストマー又はハイドロゲルから作製されるソフトコンタクトレンズであってもよく、それらのシリコーンエラストマー又はハイドロゲルとしては、シリコーンハイドロゲル及びフルオロハイドロゲルが挙げられるが、これらに限定されない。
【００５１】
ここで図１を参照すると、放射線消毒ベース部１０１と、放射線消毒保管ケース１０２と、消毒放射線供給源１０３と、を含む、眼用レンズ消毒システム１００が示されている。本発明によれば、放射線消毒保管ケース１０２は、放射線消毒供給源１０３からの放射の経路の範囲内に位置決めされることにより、放射線消毒保管ケース１０２内部に保管された１つ又は２つ以上の眼用レンズが、放射線消毒供給源１０３から発せられる放射に曝露され、眼用レンズ上又は眼用レンズの近位に存在する生命体が、放射線消毒供給源によって提供される消毒放射に曝露されて死滅し、その眼用レンズを本質的に消毒する。
【００５２】
図示のように、放射線消毒保管ケース１０２は、放射線消毒ベース部１０１及び蓋１０６と共に、開放状態で位置決めされる。放射線消毒保管ケース１０２は、消毒放射線供給源１０３と放射線消毒保管ケース１０２とを位置合わせするための、位置決め加工構造１０５を含み得る。図示されるように、位置決め加工構造１０５は、消毒放射線供給源１０３の環状配置を受容するための環状凹部を備える。位置決め加工構造１０５には、ほぼすべての多角形状凹部が含まれてもよい。加えて、又は代わりに、ケースは、１つ又は２つ以上の位置合わせピンを備え得る。位置決め加工構造１０５としては、スナップ、ネジ式接合、又は他の着脱可能に固定される種類の接合を、挙げることができる。
【００５３】
位置決め加工構造１０５は、放射線消毒保管ケース１０２内部に保管されるコンタクトレンズの頂点と概ね直交する位置に、放射線消毒放射線供給源１０３を位置合わせしてもよい。加えて、又は代わりに、位置決め加工構造１０５は、コンタクトレンズの底部周辺にわたって延在する平面と概ね直交する位置に、放射線消毒放射線供給源１０３を位置合わせしてもよい。
【００５４】
放射線消毒ベース部１０１から、放射線消毒保管ケース１０２に、また最終的には、放射線消毒保管ケース１０２内部に保管されたレンズに、振動周波数を伝送することが可能な場合もある。この振動周波数は、死滅した生命体を、死滅していない生命体への放射線の経路の範囲内から移動させることが可能な周波数とすることができる。死滅した生命体を移動させると、より多くの死滅していない生命体を放射線の直接経路に曝露することによって、より有効な消毒が可能になる。
【００５５】
放射線消毒放射線供給源１０３は、１つ又は２つ以上の発光ダイオード（ＬＥＤ）を含み得る。ＬＥＤとして、紫外線（ＵＶ）放出ＬＥＤを挙げることができ、紫外線（ＵＶ）放出ＬＥＤは、約２５０ナノメートルの光放射〜約２８０ナノメートルの光放射の波長で、光放射を放出し得る。好ましくは、その波長は、２５０ナノメートル〜２７５ナノメートル、最も好ましくは、２５４ナノメートルである。
【００５６】
放射線消毒保管ケース１０２の上方の蓋領域内に、反射表面１０７を設けてもよい。反射表面１０８もまた、放射線消毒保管ケース１０２の下方の領域内に、含めることができる。反射表面としては、非限定的な例として、テフロン（登録商標）ＰＴＦ−Ｅ、アルミニウム、酸化マグネシウム、酸化ジルコニウム、及びＡｌｚａｋ（登録商標）を挙げることができる。
【００５７】
ここで図２を参照すると、ブロック図は、ＵＶスペクトルでの消毒放射線２０２を、コンタクトレンズ２０１に向けて放射する、１つ又は２つ以上のＵＶ−ＬＥＤなどの放射線消毒供給源２００の、位置合わせを示す。ＵＶ−ＬＥＤは、放射線消毒保管ケースが、コンタクトレンズ２０１に関連する特定の位置で位置合わせされるように、配置構成することができる。この位置合わせは、位置合わせ加工構造を用いて保持される。放射線消毒保管ケースは、ＵＶ放射線２０２を、放射線消毒保管ケース内に保定されるコンタクトレンズ２０１の頂点２０４に接する平面２０３と、本質的に直交する角度で方向付けるように、位置合わせすることができる。
【００５８】
加えて、又は代わりに、放射線消毒保管ケースは、１つ又は２つ以上のＵＶ放出ＬＥＤ２００Ａからの消毒放射線２０２Ａを、コンタクトレンズ２０１の周辺縁部２０７にわたる平面２０５と、本質的に直交する角度で方向付けるように、位置合わせすることができる。図１２及び図１３に記載の通り、放射線は、コントラスト及び強度などのものにおける均一性を保証するために、拡散材を使用することにより、更に制御し得る。
【００５９】
１つ又は２つ以上の光学素子２０８を使用して、消毒放射線保管ケース内に保管されたレンズ上に、消毒放射線を集束させることができる。光学素子は、ベース部又は保管ケースの一部に含まれてもよい。
【００６０】
ここで図３を参照すると、例示の放射線消毒保管ケース３００が示されている。放射線消毒保管ケース３００は、１つ又は２つ以上のレンズ保管区画３０１を備える。保管区画３０１は、コンタクトレンズなど１つ又は２つ以上の眼用レンズを受容し、かつ保管できる。
【００６１】
保管区画３０１に保管された眼用レンズの位置を合わせる１つ又は２つ以上のレンズ位置合わせ機構３０２は、放射線消毒保管ケース３００に含まれ得る。レンズ位置合わせ機構３０２として、例えば、眼用レンズの内寸と概ね同様の寸法及び形状の弓状表面を備える台が挙げられてもよい。凸面には、放射線消毒保管ケース３００内に保管される眼用レンズの凹面の弧と概ね等しい弧が含まれてもよい。レンズ位置合わせ機構３０６は、眼用レンズの外寸と概ね同様の寸法及び形状のくぼみを備え得る。
【００６２】
位置決めにより、保管されるレンズを、消毒放射線の直接経路内に位置合わせし得る。しかし、１つ又は複数の反射表面３０６又は放射線拡散材を設けてもよい。反射表面３０６には本質的にミラーが含まれ、消毒放射線を所望の方向に反射させる機能を有する、ガラス、プラスチック、金属、又はコーティングから形成されてもよい。概して、この方向は、ベース部に位置決めされた保管ケース３００に保管されたレンズに向かっている。反射表面３０６は、保管されるレンズの表面に、概ね近位であり、かつ／あるいは概ね平行とすることができる。加えて、又は代わりに、ケースは、保管されたレンズの周辺の概して周囲の反射表面３０６を備え得る。
【００６３】
保管区画３０１には、１つ又は２つ以上の放射線窓３０３〜３０４が備えられる。放射線窓３０３〜３０４は、消毒放射線の波長を少なくとも部分的に透過する放射線消毒保管ケースの一部分をもたらす。好ましくは、放射線窓３０３〜３０４は、保管区画３０１に伝送される消毒放射線を、可能な限り１００％に近く透過する。射出成形可能なプラスチックは、ＵＶ放射線を９０％以上、あるいは、９８％以上さえも透過し得る。特定の波長には、約２５４ナノメートル〜２８０ナノメートルが含まれてもよい。
【００６４】
放射線窓は、保管区画３０１に保管された眼用レンズの領域に向けて消毒放射線を方向付けるための光学素子を備えてもよい。ケース全体は、放射線がレンズを通過し、したがってレンズに到達することを可能にする透明材料からなり得る。
【００６５】
放射線窓３０３〜３０４が形成され得る材料の例としては、例えば、環状オレフィン、ＴＯＰＡＳ、ＺＥＯＮＯＲ（登録商標）、又は他の射出成形可能なプラスチックが挙げられる。他のプラスチック又はガラスも、放射線窓３０３〜３０４の材料として用いてもよい。放射線窓３０３〜３０４の領域は、保管区画３０１に保管された眼用レンズ上に存在する生命体を死滅させるのに十分な消毒放射線を保管区画にもたらすのに、十分である必要がある。
【００６６】
放射線消毒保管ケースの製造の方法は、射出成形プロセスを含む。他の方法としては、例えば、旋盤加工、ステレオリソグラフィー、及び三次元印刷が挙げられる。
【００６７】
放射線消毒保管ケース３００は、キャップ３０６の固定、及び保管区画３０７からのキャップ３０６の取り外しを行うための締結機構３０５Ａ〜３０５Ｂを備えてもよい。締結機構３０５Ａ〜３０５Ｂは、ネジ付き部分、スナップ、及び使用者の裁量により、キャップ３０８をケースに取り外し可能に固定するための、他の機構のテーパ形状接合部を備えてもよい。キャップ３０８が保管区画３０７に固定されている間、キャップは、保管区画３０７から雰囲気を遮断し、同時に区画３０７内に眼用レンズ、及び任意で、例えば食塩水などの溶液を収容する。
【００６８】
ここで図４を参照すると、放射線消毒ベースユニット４００が、複数の消毒放射線供給源ＬＥＤ  ４０１〜４０２と共に示されている。図示されるように、消毒放射線供給源ＬＥＤ  ４０１〜４０２は、天井部の消毒放射線供給源ＬＥＤ  ４０１及び下方の消毒放射線供給源ＬＥＤ  ４０２の一方又は両方を備えてもよい。天井部の消毒放射線供給源ＬＥＤ  ４０１及び下方の消毒放射線供給源ＬＥＤ  ４０２に加えて、ベースユニットは、放射線消毒ベース部４００に関連する様々な側面を制御するための制御電子回路を有するプロセッサボード４０３を備えてもよい。
【００６９】
プロセッサボード４０３は、デジタル記憶装置４０８に接続してもよい。デジタル記憶装置は、コマンドに応じて、あるいは放射線消毒ベースユニット４００の動作時に自動的に実行可能である実行可能ソフトウェアを含んでもよい。デジタル記憶装置４０８は、放射線消毒ケース４００の動作に関連するデータを記憶してもよい。動作データとしては、例えば、放射線消毒ベースユニット４００の稼働期間、消毒されたレンズのシリアル番号、レンズの使用期間、又は他の情報が挙げられる。放射線消毒ベースユニット４００は、スキャナー４０９又は放射線消毒ベースユニット４００に保管されたレンズに関連する識別番号を入力するための他の入力手段を備えてもよい。例えば、スキャナー４０９は、バーコード又はレンズパッケージ上の他の記号をスキャンし、バーコード番号又は記号に関連する消毒情報を記録してもよい。記録され得る情報としては、例えば、レンズが消毒放射線に曝露された時間数及びレンズが使用された日数が挙げられる。
【００７０】
１つ又は２つ以上の消毒放射線供給源ＬＥＤ  ４０１〜４０２は、統合型のＬＥＤセンサーを含み得る。あるいは、ベースユニットは、消毒放射線供給源ＬＥＤ  ４０１〜４０２からは分離している、天井部のＬＥＤセンサー及び下部のＬＥＤセンサーの一方又は両方を含み得る。ＬＥＤセンサーは、デジタル記憶装置４０８内にデータを記憶することができるプロセッサボード４０３と、論理通信することができる。
【００７１】
天井部のＣＣＤ画像センサー４１０又は下部のＣＣＤ画像センサー４１１の１つ又は２つ以上を、放射線消毒ベースユニット４００内に含めることができる。ＣＣＤ画像センサー４１０〜４１１は、デジタル記憶装置４０８内にデータを記憶することができるプロセッサボード４０３と、論理通信することができる。
【００７２】
プロセッサボード４０３は、ＬＥＤセンサーのデータ及びＣＣＤ画像センサーのデータの一方又は両方を分析することができ、その分析の目的としては、消毒放射線供給源ＬＥＤ  ４０１〜４０２が機能するか否かを検知することと、消毒放射線供給源ＬＥＤ  ４０１〜４０２が許容可能なレベルで動作しているか否かを検知することと、放射線消毒保管ケースが放射線消毒ベースユニット４００内に存在するか否かを検知することと、コンタクトレンズが放射線消毒保管ケースの内部に存在するか否かを検知することと、コンタクトレンズの清潔度を検知することと、以前のレンズの清潔度のデータと現在のレンズの清潔度のデータとの比較に基づいて、新たなコンタクトレンズが放射線消毒保管ケース内に挿入されているか否かを判定することと、ユーザーが２つの異なるレンズ倍率を装用する場合に、放射線消毒保管ケース内部での左右のコンタクトレンズの正しい配置を検知することと、異なるレンズ銘柄に関するプロファイル特徴に対する、２つのＵＶ示度の比較に基づいて、レンズ銘柄を検知することと、が挙げられるが、これらに限定されない。
【００７３】
電気通信コネクタ４０４もまた、放射線消毒ベースユニット４００内に含めることができる。電気通信コネクタ４０４には、ユニバーサルシリアルバス（ＵＳＢ）コネクタ又は他の種類のコネクタが含まれてもよい。このコネクタは、データ及び電力の一方又は両方を伝達するための端子を備えてもよい。電気通信コネクタ４０４は、放射線消毒ベースユニット４００を稼働させるための電力を供給してもよい。ベースユニットは、１つ又は２つ以上の電池４０５又は他の蓄電装置を備えてもよい。バッテリー４０５としては、１つ又は２つ以上のリチウムイオン電池、又は他の再充電式装置が挙げられる。蓄電装置は、電気通信コネクタ４０４を用いて充電電流を受容できる。好ましくは、放射線消毒ベースユニット４００は、電池４０５に蓄えられた電力を用いて稼働する。
【００７４】
電気通信コネクタ４０４は、ＡＣ電流又はＤＣ電流の単純供給源を含み得る。
【００７５】
ベースユニットは、振動発生装置４０６などの機械的動作の供給源を備えてもよい。振動発生装置４０６としては、例えば圧電変換器が挙げられる。圧電変換器は、低電力の信頼性の高い装置を提供して、機械的運動又は振動運動をもたらす。
【００７６】
この振動運動は、放射線消毒ベースユニット４００内の保管ケース内部に保管された死滅した微生物を、効果的に移動させる周波数に調整し得る死滅した生物を移動させることにより、この移動が無ければ消毒放射線から保護されていたであろう生存微生物が曝露される。振動運動は、放射線消毒ケース内部に保管されたコンタクトレンズから、効果的にタンパク質を除去する周波数に調整してもよい。タンパク質除去は、微生物除去と同じ振動周波数で、又は異なる周波数で実施することができる。
【００７７】
プロセッサボード４０３又は他の電子回路は、消毒放射線供給源ＬＥＤ  ４０１〜４０２によって放出される、光又は放射線のパターンを制御することができる。この光のパターンとしては、例えば、設定周波数又は可変周波数の一方又は両方の、パルスＵＶ、あるいは他の形態のストロボ放射線を挙げることができ、その周波数の少なくとも一部は、微生物を消毒するために好適である。実施例は、持続波の周期、持続方形波の周期、可変波の周期、及び可変方形波の周期のうちの１つ又は２つ以上を含み得る。
【００７８】
消毒放射線供給源ＬＥＤ  ４０１〜４０２は、５０マイクロワット〜５ワットの範囲の電力を供給する。長期間にわたる持続的な低い電力を使用して、又は高い電力の短い突発波が、時間と共に、最も好ましくは持続的ＵＶで使用されるよりも短い期間にわたって、分散されるパルスＵＶを使用して、等価の消毒放射線の線量を適用することができる。パルスＵＶを使用して、等価のＵＶ線量又はより少ないＵＶ線量を使用する持続的ＵＶよりも、効果的な微生物の根絶を達成することができる。
【００７９】
プロセッサボード４０３又は他の電子回路は、光のパターンと、消毒の周期時間と、消毒強度と、を、諸因子に基づいて更に調整することができ、それらの因子としては、レンズが消毒された回数、レンズが最初に消毒されてからの時間の量、感知されたレンズの清潔度、及び現在のバルブの性能が挙げられるが、これらに限定されない。
【００８０】
ベースユニットはまた、ディスプレイ４０７を備えてもよい。ディスプレイ４０７は、プロセッサボード４０３と論理通信を行っており、人間が読み取れる形態で、放射線消毒ベースユニット４００の動作に関するデータを伝えるために用いられる。
【００８１】
ここで図５を参照すると、放射線消毒ベースユニット５００は、閉鎖位置で示されている。放射線消毒ベース部５０１は、蓋５０２によって覆われており、蓋５０２は、放射線消毒ベース部５０１とヒンジ結合して、放射線消毒ベース部５０１の上面を覆って折り重ねられる。図示のように、ディスプレイ５０３を、蓋５０２内に位置させることができ、放射線消毒ベースユニット５００によって実行されている消毒周期又は手順の指示を提供することができる。
【００８２】
ここで図６Ａを参照すると、消毒放射線供給源殺菌球６０１Ａとともに、放射線消毒ベースユニット６００Ａの一部分の切り欠き図が示される。図示のように、殺菌球６０１Ａは、放射線消毒保管ケース６０２Ａを収容する区画を概して取り囲む放射線消毒ベースユニット６００Ａ内部に、収容することができる。ベースユニットは、放射線消毒保管ケース６０２Ａの上方の蓋領域内に、反射表面６０３Ａを含み得る。反射表面６０４Ａもまた、放射線消毒保管ケース６０２Ａの下方の領域内に、含めることができる。更に、殺菌球空洞６０５Ａは、反射表面を組み込むことができる。反射表面としては、非限定的な例として、テフロン（登録商標）ＰＴＦ−Ｅ、アルミニウム、酸化マグネシウム、酸化ジルコニウム、及びＡｌｚａｋ（登録商標）を挙げることができる。
【００８３】
図６Ｂは、放射線消毒保管ケース６０２Ａを収容する区画の下方に位置決めされた消毒放射線供給源殺菌球６０１Ｂを有する、放射線消毒ベースユニット６００Ｂの一部分の切り欠き図を示す。反射表面６０３Ｂ及び６０４Ｂは、それぞれ、放射線消毒保管ケース６０２Ｂの上方及び下方、並びに殺菌球空洞６０５Ｂ内に存在し得る。
【００８４】
殺菌球は、放射線消毒ベースユニットの蓋の内部に収容することができる。ベースユニットは、ベースユニットの下側部分、蓋部分、又は両方を含めた複数の殺菌球を、含み得る。殺菌球は、先行の図で説明されたＵＶ−ＬＥＤバルブの代わりに、あるいはそれに加えて、放射線消毒ベースユニット内に存在し得る。
【００８５】
殺菌球としては、非限定的な例として、低圧水銀蒸気バルブ、又は中圧水銀蒸気バルブを挙げることができる。殺菌球は、紫外線放射を放出し得る。殺菌球は、約２５０ナノメートルの光放射〜約２８０ナノメートルの光放射の波長で、紫外線（ＵＶ）放射を放出し得る。好ましくは、その波長は、約２５０ナノメートル〜２７５ナノメートル、最も好ましくは、約２６０ナノメートルである。
【００８６】
先行の図で説明された、ＬＥＤ以外の構成要素（位置決め加工構造、反射表面、振動発生装置、放射線を集束させるための光学素子、プロセッサボード、デジタル記憶装置、スキャナー、電気コネクタ、電池、及びディスプレイが挙げられるが、これらに限定されない）を、殺菌球を有する消毒ベースユニット内に含めることができる。
【００８７】
パルスＵＶ法は、殺菌球に関しては好ましくない場合があるが、放射線消毒ベースユニット６００Ａ又は放射線消毒ベースユニット６００Ｂ内に含まれる、プロセッサボード若しくは他の電子回路が、光のパターン、消毒の周期時間、及び消毒強度を、諸因子に基づいて調整することができ、それらの因子としては、レンズが消毒された回数、レンズが最初に消毒されてからの時間の量、及び感知されたレンズの清潔度が挙げられるが、これらに限定されない。
【００８８】
ここで図７を参照すると、ブロック図は、ＵＶスペクトルでの消毒放射線７０２を、コンタクトレンズ７０１に向けて放射する、１つ又は２つ以上の殺菌球などの放射線消毒供給源７００の位置合わせを示す。殺菌球は、放射線消毒保管ケースが、コンタクトレンズ７０１に関連する特定の位置で位置合わせされるように、配置構成される。この位置合わせは、位置合わせ加工構造を用いて保持される。放射線消毒保管ケースは、ＵＶ放射線７０２を、放射線消毒保管ケース内に保定されるコンタクトレンズ７０１の頂点７０４に接する平面７０３と本質的に直交する角度で方向付けるように、位置合わせすることができる。
【００８９】
あるいは、放射線消毒保管ケースは、１つ又は２つ以上のＵＶ放出殺菌球７００Ａからの消毒放射線７０２Ａを、コンタクトレンズ７０１の周辺縁部７０７にわたる平面７０５と本質的に直交する角度で方向付けるように、位置合わせすることができる。
【００９０】
１つ又は２つ以上の光学素子７０８を使用して、消毒放射線保管ケース内に保管されたレンズ上に、消毒放射線を集束させることができる。光学素子は、放射線の経路の範囲内の様々な位置に含めることができ、一部の例示的な場所としては、ベース部内、保管ケースの一部分内、及びＬＥＤ若しくはバルブなどの放射線供給源の一部分としての場所を挙げることができる。
【００９１】
ここで図８を参照すると、ブロック図は、ＵＶスペクトルでの消毒放射線８０２を、コンタクトレンズ保管ケース８０１に向けて放射する、１つ又は２つ以上の殺菌球などの放射線消毒供給源８００の位置合わせを示す。殺菌球は、放射線消毒保管ケースが、コンタクトレンズ保管ケース８０１に関連する特定の位置で位置合わせされるように、配置構成してもよい。この位置合わせは、位置合わせ加工構造を用いて保持される。
【００９２】
放射線消毒保管ケースは、ＵＶ放射線８０２を、コンタクトレンズ保管ケース８０１の頂部部分にわたる平面８０３と本質的に直交する角度で方向付けるように、位置合わせしてもよい。
【００９３】
あるいは、放射線消毒保管ケースは、１つ又は２つ以上のＵＶ放出殺菌球８００Ａからの消毒放射線８０２Ａを、コンタクトレンズ保管ケース８０１の底部及び頂部の一方又は両方にわたる平面８０５と本質的に直交する角度で方向付けるように、位置合わせすることができる。
【００９４】
１つ又は２つ以上の光学素子８０４を使用して、消毒放射線保管ケース８０１上に消毒放射線を集束させることができる。光学素子は、ベース部又は保管ケースの一部に含まれてもよい。
【００９５】
ここで図９を参照すると、交換標識を有する例示的な放射線消毒保管ケース９００が示される。交換標識を有する放射線消毒保管ケース９００は、１つ又は２つ以上のレンズ保管区画９０１を備える。保管区画９０１は、コンタクトレンズなどの、１つ又は２つ以上の眼用レンズを受容して、かつ保管することが可能である。図示のように、交換標識９０２は、概して、２つのレンズ保管区画９０１の間の、交換標識を有する放射線消毒保管ケース９００の棚部上に含めることができる。交換標識９０２としては、一方又は両方のレンズ保管区画９０１を取り囲むリング、レンズ保管区画キャップ９０３上の領域、交換標識を有する放射線消毒保管ケース９００上の領域若しくは完全に取り囲む領域、又は交換標識を有する放射線消毒保管ケース９００若しくはレンズ保管区画キャップ９０３の内部の他の場所を挙げることができる。
【００９６】
交換標識９０２は、交換標識を有する放射線消毒保管ケース９００若しくはレンズ保管区画キャップ９０３を作製する、プラスチック又は他の材料の内部、若しくはそれらの上の染料から構成することができる。加えて、又は代わりに、交換標識９０２は、交換標識を有する放射線消毒保管ケース９００若しくはレンズ保管区画キャップ９０３内に埋め込むか、又はそれらに付着させることができる材料であり得る。
【００９７】
交換標識９０２の染料又は材料は、色又は質感を、あるいは色及び質感の両方を変化させて、ユーザーが現在の交換標識を有する放射線消毒保管ケース９００を廃棄して、新たなケースの使用を開始するべきであることを、表示する。交換標識９０２の色又は質感は、交換標識を有する放射線消毒保管ケース９００を廃棄するべき指標として、ユーザーによって一般的に認識される状態に到達するまで、一定の期間にわたって徐々に変化し得る。
【００９８】
ここで図１０を参照すると、ＬＥＤセンサー１００１、スキャナー１００２、及びカメラ１００３のうちの１つ又は２つ以上を有する放射線消毒ベースユニット１０００が示されている。ＬＥＤセンサー１００１、スキャナー１００２、又はカメラ１００３は、図９で説明されるような、放射線消毒保管ケース上の交換標識の状態についての情報を捕捉する。
【００９９】
プロセッサボード１００４に取り付けられるか、あるいは他の方法でプロセッサボード１００４と論理通信することができる、デジタル記憶装置１００５は、交換標識のデータを記憶することができる。プロセッサボード１００４は、その交換標識のデータと、以前に記憶された交換標識のデータとを比較して、そのデータの変化の大きさを特定し得る。指定の大きさの変化により、放射線消毒保管ケースを交換する時期であることが判定される。加えて、又は代わりに、プロセッサボード１００４は、現在の交換標識のデータと、記憶された対象データとを比較して、放射線消毒保管ケースを交換するべき時期を判定する。プロセッサボード１００４の論理が、放射線消毒保管ケースを交換するべきであることを判定すると、プロセッサボード１００４は、ディスプレイ１００６上で、ユーザーに対してメッセージを表示させる。
【０１００】
プロセッサボード１００４及びデジタル記憶装置１００５を有する放射線消毒ベースユニット１０００を使用して、放射線消毒保管ケースに関連する、経時、使用量、又は他の評価基準を追跡し得る。例えば、新たな放射線消毒保管ケースが、放射線消毒ベースユニット１０００内に挿入された日付に基づいて、経時を追跡することができる。使用量は、新たな放射線消毒保管ケースが挿入されてから実施された、消毒周期の数に基づいて、判定することができる。プロセスボード１００４の論理が、経時、使用量、又は他の評価基準に基づいて、放射線消毒保管ケースを交換するべきであることを判定すると、適切なユーザーメッセージが、ディスプレイ１００６上に含まれる。
【０１０１】
プロセッサボード１００４の論理は、非限定的な例として、交換標識のデータ、経時記録、使用量の計数、又は他の関連情報を含めた、放射線消毒保管ケースに関する複数の変数を分析し得る。プロセッサボード１００４の論理は、放射線消毒保管ケースを交換するべきであることを指示する、変数の組み合わせを特定するための、アルゴリズムを含む。次いで、プロセッサボード１００４は、放射線消毒保管ケースを交換する時期であることをユーザーに通知するメッセージを、ディスプレイ１００６上に提示させる。
【０１０２】
ここで図１１Ａを参照すると、ベースユニットの下側部分内に電磁石１１０１Ａを有する放射線消毒ベースユニット１１００Ａが示されている。あるいは、電磁石１１０１Ａは、放射線消毒ベースユニット１１００Ａの蓋内に定置することができる。
【０１０３】
ここで図１１Ｂを参照すると、放射線消毒保管ケース１１００Ｂは、永久磁石１１０１Ｂを備える。永久磁石１１０１Ｂを有する放射線消毒保管ケース１１００Ｂが、放射線消毒ベースユニット１１００Ａ内に存在する場合、電流を、電磁石１１０１Ａに印加し、かつ電磁石１１０１Ａから除去して、永久磁石１１０１Ｂの引力及び斥力を引き起こし、結果として放射線消毒保管ケース１１００Ｂの振動を生じさせることができる。電磁石１１０１Ａに印加される電流の調整により、振動の周波数及び振幅のうちの１つ又は２つ以上の制御が可能になる。非磁性金属領域を、永久磁石１１０１Ｂの代わりに実装することができ、この非磁性金属領域を、電磁石１１０１Ａによって引き付けて、結果として放射線消毒保管ケース１１００Ｂの振動を生じさせることができる。
【０１０４】
この振動運動は、放射線消毒保管ケース１１００Ｂ内部に保管された死滅した微生物を、そのケース内に収容されたコンタクトレンズから、効果的に移動させる周波数に調整し得る。死滅した生物を移動させることにより、この移動が無ければ消毒放射線から保護されていたであろう生存微生物が曝露される。振動運動は、放射線消毒ケース内部に保管されたコンタクトレンズから、効果的にタンパク質を除去する周波数に調整してもよい。タンパク質除去は、微生物除去と同じ振動周波数で、又は異なる周波数で実施することができる。
【０１０５】
消毒ＬＥＤ又は殺菌球などの消毒放射線供給源の１つまたは２つ以上、又は組み合わせを使用するとともに、拡散材を使用してもよい。適切な消毒の結果を確保することが重要であり得るため、拡散材により、消毒中のレンズが、均一に分散された放射線を確実に受容することができる。例えば、フルオロポリマーなどの拡散材は、放射線を著しく劣化させることなく分散させることが可能であり、消毒放射線を少なくとも部分的に透過することができ、したがって、消毒放射線は、レンズのすべての部分に到達し得る。フルオロポリマーは、均一な消毒を妨げるコントラストの問題を最小化し得る。例えば、ＦＥＰなどのフルオロポリマーは、射出成型され、ケースを包み込むことができる幾何学的形状になり得る。これにより、前記拡散材をベース部に容易に組み込むことができる。
【０１０６】
ここで図１２を参照すると、消毒ベース部１２００内の放射線拡散材の例示的な幾何学的形状及び構成の断面図が示されている。１２０１において、循環する殺菌球を示している。殺菌球１２０１の周囲で、拡散材１２２５を使用してもよい。１２１５において、バルブの導線を示している。
【０１０７】
拡散材とともに放射線の分散を支援し、かつ装置の効率を上げるため、反射表面１２０５を使用してもよい。特定域のレンズに送られている放射線を測定する助けとするため、１２３０において、拡散材に１つ又は２つ以上のセンサーを定置してもよい。このことは、当該技術分野において既知のプロセッサ及びフィードバックループシステムを使用して、達成し得る。分散した放射線を測定することにより、プロセッサは、消毒放射線の強度又は時間を増減することができる。
【０１０８】
プロセッサ用回路基板１２１０は、反射材１２０５の下に定置してもよい。消毒を確実に向上させるため、先に述べたカメラ、集光光学レンズ、位置合わせ加工構造、及び振動構成要素などの他の構成要素を備えてもよい。加えて、ベース部の幾何学的形状は、拡散材が消毒ケースを包み込むことにより、レンズの全領域にわたって、より均一な消毒放射線を供給することができる形状であってもよい。また、拡散材は、所望に応じて、ケースの少なくとも一部に含まれていてもよい。
【０１０９】
図１３は、ＵＶ拡散材と、反射表面と、を備える蓋を有する例示的な消毒ベース部１３００を示す。１３１０、１３１５、及び１３２０において、拡散材を示す。具体的には、１３２０は、ケースを包み込み、かつケースがベース部内に定置されたとき、ケースの位置合わせをするために使用し得る幾何学的形状を示す。１３０５において、磁石又は何らかの柔らかいパッド材を蓋１３０１内に定置して、装置内の任意の振動による摩擦からの厄介な雑音を回避し得る。加えて、パッド材は、放射線を封じ込める助けとなることにより、所望により、ベース部とベース部蓋との間に形成された溝を通して見えることを防止する。また、タッチスクリーンディスプレイを界面として使用する場合、パッド材１３０５は、放射線を反射するか、あるいは封じ込めて、放射線による劣化からディスプレイを守ることができる。
【０１１０】
〔実施の態様〕
（１）  １つ又は２つ以上の眼用レンズを保管するための眼用レンズ保管ケースを受容するためのベース部であって、
１つ又は２つ以上のレンズを保管可能な該眼用レンズ保管ケースを受容するための収容部と、
該保管ケースに近接した、消毒放射線の供給源と、
該消毒放射線供給源と該眼用レンズ保管ケース内の該レンズとの間の拡散材と、を備える、ベース部。
（２）  前記拡散材が、フルオロポリマーを含む、実施態様１に記載のベース部。
（３）  前記拡散材が、前記ケースの形状を包み込む形状である、実施態様１又は２に記載のベース部。
（４）  眼用レンズ保管区画に向けて消毒放射線を反射するための反射表面を更に備え、該反射表面が、テフロン、アルミニウム、酸化マグネシウム、及び酸化ジルコニウムのうちの１つ又は２つ以上を含む、実施態様１〜３のいずれかに記載のベース部。
（５）  前記拡散材の少なくとも一部に前記放射線を集束させることができる光学品質材を更に備える、実施態様１〜４のいずれかに記載のベース部。
【０１１１】
（６）  前記消毒放射線供給源が、紫外放射線を放出する１つ又は２つ以上の発光ダイオードを備える、実施態様１〜５のいずれかに記載のベース部。
（７）  前記消毒放射線供給源が、１つ又は２つ以上の殺菌球を備える、実施態様１〜６のいずれかに記載のベース部。
（８）  前記１つ又は２つ以上の殺菌球が、前記レンズ保管ケースの１つ又は２つ以上の保管区画を循環する形状を有する、実施態様７に記載のベース部。
（９）  前記消毒供給源の前記１つ又は２つ以上に紫外放射線をパルス発生させる（pulse）ための機構を更に含み、該パルス発生機構が、電子回路を備える、実施態様１〜８のいずれかに記載のベース部。
（１０）  前記パルス発生機構が、前記消毒放射線供給源の前記１つ又は２つ以上に、前記保管区画内に保管されたレンズの表面にわたる放射線のパターンを生成させる、実施態様９に記載のベース部。
【０１１２】
（１１）  ソフトウェアを実行するプロセッサを更に含み、前記生成される放射線のパターンが、該ソフトウェア内に含まれる命令に基づく、実施態様１〜１０のいずれかに記載のベース部。
（１２）  前記発光ダイオードが、約５０マイクロワット〜５ワットの電力を放出する、実施態様６に記載のベース部。
（１３）  前記消毒放射線供給源が、２５０ナノメートル〜２８０ナノメートルの波長で放射線を放出することができる、実施態様７に記載のベース部。
（１４）  前記殺菌球の１つ又は２つ以上によって放出される前記消毒放射線が、前記ベース部に近接した保管区画に対する曝露の十分な強度及び時間の長さを含み、前記保管区画内に保管された眼用レンズ上の微生物を死滅させる、実施態様７に記載のベース部。
（１５）  前記消毒放射線が前記拡散材を通過した後に、前記消毒放射線を測定するためのフィードバックループシステムを更に含む、実施態様１１に記載のベース部。
【０１１３】
（１６）  前記フィードバックループシステムの強度値を検出することができる、前記拡散材に近接して位置決めされた、１つ又は２つ以上のセンサーを更に備える、実施態様１５に記載のベース部。
（１７）  前記眼用レンズ保管区画が、消毒放射線を、コンタクトレンズの周辺縁部にわたる平面と本質的に直交する角度で受けるように、該コンタクトレンズを位置合わせするための位置合わせ加工構造を備える、実施態様１〜１６のいずれかに記載のベース部。
（１８）  前記眼用レンズ保管区画が、紫外放射線を透過する保管ケースを備え、紫外放射線は、該保管ケースの底部及び頂部の一方又は両方にわたる平面と本質的に直交する角度で方向付けられる、実施態様１〜１６のいずれかに記載のベース部。
（１９）  前記眼用レンズ保管区画が、磁石を更に備え、前記ベース部が、磁気パルスの供給源を更に備え、該磁気パルスが、前記眼用レンズ保管区画を振動させる、実施態様１〜１８のいずれかに記載のベース部。
【図１】
2015509762.tif 000003
【図２】
2015509762.tif 000004
【図３】
2015509762.tif 000005
【図４】
2015509762.tif 000006
【図５】
2015509762.tif 000007
【図６Ａ】
2015509762.tif 000008
【図６Ｂ】
2015509762.tif 000009
【図７】
2015509762.tif 000010
【図８】
2015509762.tif 000011
【図９】
2015509762.tif 000012
【図１０】
2015509762.tif 000013
【図１１Ａ】
2015509762.tif 000014
【図１１Ｂ】
2015509762.tif 000015
【図１２】
2015509762.tif 000016
【図１３】
2015509762.tif 000017
【国際調査報告】
2015509762.tif 000018
2015509762.tif 000019
2015509762.tif 000020